(57)【要約】【課題】自動録画機能において、録画内容の有益性を高める。【解決手段】端末装置は、録画の対象時間帯に放送される複数のコンテンツの何れかを自動録画コンテンツとして選択録画する。ＥＰＧ情報とユーザ嗜好を反映した録画優先情報に基づき、複数のコンテンツの中から第１候補コンテンツ（Ｃ［１，１０］）を選択し、ＥＰＧ情報及び録画優先情報と、録画に欠損が発生したときの対応を定めた欠損対応用データに基づき、第２候補コンテンツ（Ｃ［２，１０］）を選択する。原則として、第１候補コンテンツの録画を行うが、欠損が発生した場合には、自動録画コンテンツを第２候補コンテンツに切り替える。【選択図】図１１
2015046670.tif 000002
【特許請求の範囲】
【請求項１】
録画の対象時間帯に放送される複数のコンテンツの何れかを選択して録画する録画装置であって、
前記対象時間帯におけるコンテンツの録画に欠損が存在するか否かに応じ、前記対象時間帯において録画するコンテンツを決定する録画制御部を備えた
ことを特徴とする録画装置。
【請求項２】
前記録画制御部は、
前記複数のコンテンツのメタデータ及び事前に定められた録画優先情報に基づき、前記複数のコンテンツの中から第１候補コンテンツを選択する第１選択部と、
前記対象時間帯におけるコンテンツの録画に欠損が存在するときの録画是非データ又は重み付けデータを、コンテンツの種類ごとに定めた欠損対応用データと、
前記メタデータ、前記録画優先情報及び前記欠損対応用データに基づき、前記複数のコンテンツの中から第２候補コンテンツを選択する第２選択部と、を有し、
前記対象時間帯におけるコンテンツの録画に欠損が存在しない場合には、前記第１候補コンテンツを録画する一方、前記対象時間帯におけるコンテンツの録画に欠損が存在する場合には、前記欠損の発生後、録画が可能になった時点から前記第２候補コンテンツを録画する
ことを特徴とする請求項１に記載の録画装置。
【請求項３】
前記録画制御部は、前記対象時間帯の開始時点において録画可能状態であるとき、前記開始時点から前記第１候補コンテンツの録画を開始し、その後、前記対象時間帯において録画不可状態が所定時間以上継続したとき前記欠損が発生したと判断し、その後、前記対象時間帯において録画可能状態に戻ったとき、録画すべきコンテンツを前記第２候補コンテンツに変更して録画を再開する
ことを特徴とする請求項２に記載の録画装置。
【請求項４】
前記録画制御部は、前記対象時間帯の開始時点から録画不可状態が所定時間以上継続しているとき前記欠損が発生したと判断し、その後、前記対象時間帯において録画可能状態になったとき、前記第２候補コンテンツを録画する
ことを特徴とする請求項２に記載の録画装置。
【請求項５】
前記第２選択部は、前記メタデータ、前記録画優先情報及び前記欠損対応用データに基づき、前記第２候補コンテンツの選択又は前記第２候補コンテンツを選択せずに非録画決定を行い、
前記対象時間帯におけるコンテンツの録画に欠損が存在する場合において前記非録画決定が行われた場合、前記欠損の発生後、録画可能状態になっても、前記録画制御部は、前記対象時間帯における録画を行わない
ことを特徴とする請求項２乃至４の何れかに記載の録画装置。
【発明の詳細な説明】
【技術分野】
【０００１】
本発明は、録画装置に関する。
【背景技術】
【０００２】
放送される複数のコンテンツの中からユーザの嗜好に合わせたコンテンツを自動的に選択して録画する機能が、録画装置に搭載されることがある（例えば特許文献１〜３参照）。
【０００３】
一方、近年では、スマートフォン等の端末装置で番組のコンテンツを録画することも一般的に行われる。家屋等に固定設置されたアンテナによる放送波受信信号にて録画を行う固定型録画装置と異なり、スマートフォン等の端末装置では受信レベルが安定せず、コンテンツの録画が途切れる（即ちコンテンツの録画に欠損が生じる）ことも多い。また、端末装置において、録画用プログラムと競合するプログラムが並行実行され、競合プログラムの影響により録画の一時停止が発生することもある。
【先行技術文献】
【特許文献】
【０００４】
【特許文献１】特開２０１１−１１４６８６号公報
【特許文献２】特開２０１０−２８８２９４号公報
【特許文献３】特開２００２−３７４４６２号公報
【発明の概要】
【発明が解決しようとする課題】
【０００５】
コンテンツの録画に欠損が存在しているか否かに関係なく、録画されるべきコンテンツを一律に定めるのは、必ずしも妥当とは言えない。例えば、欠損がある場合、視聴しても（再生しても）、ユーザがあまり楽しめないコンテンツもあるからであり、そのようなコンテンツは、欠損の発生時に録画しても有益性は低いと考えられる。一方で、欠損があったとしても、相応に楽しめるコンテンツもあると考えられる。
【０００６】
そこで本発明は、録画内容の有益性向上に寄与する録画装置の提供を目的とする。
【課題を解決するための手段】
【０００７】
本発明に係る録画装置は、録画の対象時間帯に放送される複数のコンテンツの何れかを選択して録画する録画装置であって、前記対象時間帯におけるコンテンツの録画に欠損が存在するか否かに応じ、前記対象時間帯において録画するコンテンツを決定する録画制御部を備えたことを特徴とする。
【発明の効果】
【０００８】
本発明によれば、録画内容の有益性向上に寄与する録画装置の提供が可能となる。
【図面の簡単な説明】
【０００９】
【図１】本発明の第１実施形態に係る端末装置の概略ブロック図である。
【図２】自動録画機能の実現に特に関与する部位の機能ブロック図である。
【図３】本発明の第１実施形態に係る録画優先情報を示す図である。
【図４】本発明の第１実施形態に係る録画是非データを示す図である。
【図５】録画の欠損の意義を説明するための図である。
【図６】本発明の第１実施形態で想定するＥＰＧ（登録商標）情報を示す図である。
【図７】本発明の第１実施形態に係り、欠損が発生しないときの自動録画コンテンツを説明するための図である。
【図８】本発明の第１実施形態に係り、欠損が発生しているときの自動録画コンテンツを説明するための図である。
【図９】本発明の第１実施形態に係り、欠損発生によって録画優先情報が修正される様子を示す図である。
【図１０】本発明の第１実施形態に係り、欠損発生によって自動録画コンテンツが変更される様子を示す図である。
【図１１】本発明の第１実施形態に係り、第１パターンの欠損発生時における録画動作を説明するための図である。
【図１２】本発明の第１実施形態に係り、第２パターンの欠損発生時における録画動作を説明するための図である。
【図１３】本発明の第２実施形態に係る録画優先情報を示す図である。
【図１４】本発明の第２実施形態に係る重み付けデータを示す図である。
【図１５】本発明の第２実施形態に係り、欠損発生によって録画優先情報が修正される様子を示す図である。
【図１６】本発明の第２実施形態に係り、欠損が発生しないときの自動録画コンテンツを説明するための図である。
【図１７】本発明の第２実施形態に係り、欠損が発生しているときの自動録画コンテンツを説明するための図である。
【図１８】本発明の第３実施形態の動作例における録画内容を示す図である。
【図１９】本発明の第４実施形態に係る端末装置の動作フローチャートである。
【図２０】図１８の動作例に図１９を適用したときの処理の流れを示す図である。
【図２１】図１８の動作例に図１９を適用したときの処理の流れを示す図である。
【図２２】図１８の動作例に図１９を適用したときの処理の流れを示す図である。
【発明を実施するための形態】
【００１０】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって、該記号又は符号に対応する情報、信号、物理量、状態量又は部材等の名称を省略又は略記することがある。
【００１１】
＜第１実施形態＞
本発明の第１実施形態を説明する。図１は、本発明の第１実施形態に係る端末装置１の概略ブロック図である。端末装置１は、映像情報を含むコンテンツの録画機能を備えた任意の電子機器であり、例えば、携帯電話機、携帯情報端末、パーソナルコンピュータ等である。端末装置１は、符号１１〜１７によって参照される各部位を備える。
【００１２】
アンテナ１１は、放送局（不図示）からの放送信号を受信する。チューナモジュール１２は、アンテナ１１を介して受信した放送信号に含まれる所望のチャンネルの放送信号を復調し、復調された放送信号を出力する。放送信号は、映像信号及び音声信号を含む。従って、チューナモジュール１２の出力信号は、復調によって得られた映像信号及び音声信号を含む。以下、映像信号及び音声信号をまとめてＡＶ信号と呼ぶ。ＡＶ信号は、映像信号及び音声信号を含むコンテンツの一種である。放送信号は、更にＥＰＧ情報（電子番組表情報）を含んでいる。ＥＰＧ情報は、各放送局が放送する番組コンテンツのメタデータに相当し又は当該メタデータを含む。当該ＥＰＧ情報及び当該メタデータには、各放送局が放送する番組コンテンツのタイトル、ジャンル（種類）及び内容などの情報が含まれている。番組コンテンツは、番組に関するコンテンツである。以下に述べるコンテンツは、特に記述無き限り、番組コンテンツを指す。
【００１３】
ディスプレイ１３は、液晶ディスプレイパネル等から成り、ＣＰＵ１７の制御の下で任意の映像を表示する。入力デバイス１４は、機械式操作部材（不図示）や、ディスプレイ１３に付随するタッチパネル（不図示）から成り、ユーザからの各種指示（以下、ユーザ指示と呼ぶ）の入力を受け付ける。入力されたユーザ指示の内容は、ＣＰＵ１７に伝達される。ユーザとは、勿論、端末装置１の使用者を指す。無線モジュール１５は、任意の無線通信規格に沿って、無線通信機能を備えた他の電子機器（不図示）との間で任意のデータの通信を行う。メモリ１６は、ＲＯＭ（Read Only Memory）及びＲＡＭ（Random Access Memory）を含み、端末装置１にて取り扱われるプログラム及びデータを記憶する。
【００１４】
ＣＰＵ（Central Processing Unit）１７は、メモリ１６に記憶されたプログラムに基づき、端末装置１内の各部位の動作の統括的な制御の他、各種の処理を行う。ＣＰＵ１７が行う処理には、チューナモジュール１２からのＡＶ信号をメモリ１６に記録する録画処理、及び、メモリ１６に記録されたＡＶ信号を再生する再生処理が含まれる。チューナモジュール１２からのＡＶ信号をメモリ１６に記録することを録画と呼ぶ。ＡＶ信号の再生は、ＡＶ信号中の映像信号に基づく映像のディスプレイ１３での表示、ＡＶ信号中の音声信号に基づく音声の音声出力装置（不図示；スピーカ等）からの出力を含む。端末装置１は、録画処理を特異な方法にて実現する自動録画機能を有している。
【００１５】
図２は、端末装置１に内包される、自動録画機能の実現に特に関与する部位の機能ブロック図である。ユーザ嗜好判定部３１、自動録画コンテンツ指定部３５、録画処理部３６及び競合処理部３７における各処理は、ＣＰＵ１７にて実行される（従って、それらはＣＰＵ１７に内包されると考えても良い）。ユーザ嗜好ＤＢ（データベース）３２及び欠損対応用ＤＢ（データベース）３３は、メモリ１６に搭載される。自動録画コンテンツ指定部３５及び録画処理部３６を含む部位は、録画制御部３０に相当する。
【００１６】
図２のユーザ嗜好ＤＢ３２は、図３に示すような、ユーザのコンテンツに対する嗜好を反映した録画優先情報３００を格納しており、録画優先情報３００は、自動録画機能にて録画されるべきコンテンツの優先順位（以下、単に優先順位又は録画優先順位という）をジャンルごとに定めている。
【００１７】
本実施形態では、ジャンルがドラマ、アニメ、音楽、バラエティのコンテンツに対し、夫々、第１、第２、第３、第４優先順位が付与されていることが録画優先情報３００に規定されている。録画優先情報３００において、ジャンルが映画、スポーツ及びニュースのコンテンツに対しては優先順位は与えられていない。自動録画機能において、録画優先情報３００に従って録画処理を行う場合、より高い優先順位が付与されたコンテンツが優先的に録画され、優先順位が付与されていないコンテンツが録画されることは無い（後述の他の録画優先情報についても同様）。ｎ個の優先順位がある場合（ｎは２以上の整数）、第１優先順位が最も優先順位が高く、第ｎ優先順位が最も優先順位が低い。
【００１８】
図２のユーザ嗜好判定部３１は、嗜好判定用データに基づき所定のアルゴリズムに従ってユーザ嗜好ＤＢ３２（本実施形態において録画優先情報３００）を生成する。嗜好判定用データは、ユーザのコンテンツに対する嗜好を推定するための様々なデータを含み、当該嗜好の推定に適した公知の方法（例えば、特許文献１〜３に記載の方法）を用いて、ユーザ嗜好ＤＢ３２が形成されても良い。具体的には例えば、過去に録画又は再生したコンテンツのジャンル等の履歴、リアルタイム視聴したコンテンツのジャンル等の履歴、入力デバイス１４を介してユーザに指定されたキーワードを、嗜好判定用データに含めることができる。ユーザ嗜好判定部３１は、嗜好判定用データに加えて又は嗜好判定用データに代えて、入力デバイス１４を介し入力されたユーザ指示に基づき、ユーザ嗜好ＤＢ３２を生成しても良い。
【００１９】
図２の欠損対応用ＤＢ３３は、図４に示す録画是非データ３２０を格納する。説明の明確化上、注目した或る時間帯及び或るコンテンツを対象時間帯及び対象コンテンツとも呼ぶ。録画是非データ３２０は、対象時間帯における対象コンテンツの録画に欠損が存在するとき、対象時間帯において対象コンテンツを録画すべきか否かを対象コンテンツのジャンルごとに規定している。図５（ａ）〜（ｃ）を参照して、録画の欠損について説明する。録画の欠損の有無は、録画状態に基づき録画処理部３６により判定され、その判定結果を欠損判定情報とする。
【００２０】
時間帯３５０は、時刻３５０Ｓから時刻３５０Ｅまでの対象時間帯である。コンテンツ３４０は、時間帯３５０において放送され（即ち、コンテンツ３４０の放送開始時刻及び終了時刻は夫々時刻３５０Ｓ及び３５０Ｅと一致し）且つ録画が希望される対象コンテンツである。図５（ａ）に示す如く、対象コンテンツが対象時間帯において欠落なく継続的に録画されたとき、対象コンテンツの録画に欠損は無い。
【００２１】
一方、所定時間ｔTH以上継続して対象コンテンツの録画が行われていない区間（以下、欠損区間と呼ぶ）が対象時間帯に含まれているとき、対象コンテンツの録画に欠損が存在する。時間ｔTHは、予め定められた固定値（例えば１分）を有していても良いし、ユーザ指示によって指定されても良い。対象コンテンツの録画が行われていない区間が対象時間帯に含まれていたとしても、その該区間の長さが時間ｔTH未満であれば、対象コンテンツの録画に欠損は無いと判定されても良い。時間帯と区間は同義である。
【００２２】
図５（ｂ）の例では、時刻３５０Ｓから時刻３５１までの区間と時刻３５２から時刻３５０Ｅまでの区間では対象コンテンツ３４０が録画されているが、時刻３５１から時刻３５２までの区間が欠損区間になっている。図５（ｃ）の例では、時刻３５０Ｓから時刻３５３までの区間が欠損区間になっており、時刻３５３から時刻３５０Ｅにおいてのみ対象コンテンツ３４０が録画されている。図５（ｂ）の例のように、対象時間帯の開始時刻から対象コンテンツが録画開始された後、対象時間帯中に欠損区間が発生したときの欠損を、第１パターンの欠損と呼ぶ。これに対し、図５（ｃ）の例のように、対象時間帯の開始時刻を起点として欠損区間が存在するときの欠損を、第２パターンの欠損と呼ぶ。
【００２３】
録画是非データ３２０は、欠損を含むコンテンツをユーザが視聴したとしてユーザが有益な情報が得られるか否か（視聴して楽しめるか否か）の観点から設定される。例えば、視聴時間が２分程度でもユーザが有益な情報が得られるか否かを基準に設定する。
【００２４】
より具体的には、ジャンルが音楽、バラエティ、スポーツ又はニュースのコンテンツは、２分程度の録画時間であっても十分にユーザが楽しめる情報が提供されると考えられるため、欠損が存在していても有益な情報が得られるコンテンツと判断する。この判断結果を反映して、図４に示す如く、ジャンルが音楽、バラエティ、スポーツ又はニュースのコンテンツについては録画是非値“１”を録画是非データ３２０に含める。録画是非値“１”は、コンテンツの録画に欠損が存在していても、端末装置１の状態が録画可能状態であれば当該コンテンツの録画を行うことを規定している。
【００２５】
一方、ジャンルがドラマ、アニメ又は映画のコンテンツは、一般的に、１つのコンテンツの中に起承転結を有したストーリが存在するため、一部が欠けるとストーリの全体像が理解できずユーザの視聴満足度は低くなりがちであり、故に、欠損が存在していると有益な情報が得られない又は得難いコンテンツと判断する。この判断結果を反映して、図４に示す如く、ジャンルがドラマ、アニメ又は映画のコンテンツについては録画是非値“０”を録画是非データ３２０に含める。録画是非値“０”は、コンテンツの録画に欠損が存在している場合、端末装置１の状態が録画可能状態であっても当該コンテンツの録画を行わないことを規定している。
【００２６】
録画是非データ３２０は、自動録画機能の実行に先立ち、予め欠損対応用ＤＢ３３内に保持される。図４は、録画是非データ３２０の初期値を表しているが、ＣＰＵ１７は、ユーザ指示に従って録画是非データ３２０を任意に修正することができる。
【００２７】
ＥＰＧ情報３４（図２参照）は、アンテナ１１を介して受信した放送信号からチューナモジュール１２により抽出される。ＥＰＧ情報３４は、図６に示すような、各時間帯のコンテンツのジャンルを示す情報を含む。チャンネルＣＨ１〜ＣＨ３の夫々において、１０時ちょうどを起点として、各々１時間の長さを持ったコンテンツが放送されるとする。チャンネルＣＨｉにおいてｊ時から放送されるコンテンツを記号Ｃ［ｉ，ｊ］にて表す（ｉ及びｊは整数）。これ以降の説明でも単位時間帯の長さを１時間とする。例えば、コンテンツＣ［１，１０］のジャンルはドラマであり、その他のコンテンツＣ［ｉ，ｊ］についてもジャンルが設定されている。
【００２８】
自動録画コンテンツ指定部３５（以下、指定部３５と略記することがある）は、ユーザ嗜好ＤＢ３２及び欠損対応用ＤＢ３３内のデータ並びにＥＰＧ情報３４に基づき、各時間帯に放送される複数のコンテンツの中から自動録画コンテンツを選択及び指定する。自動録画コンテンツは、自動録画機能において録画されるべきコンテンツを指す。
【００２９】
録画処理部３６は、指定部３５にて選択及び指定された自動録画コンテンツが録画されるよう、録画処理を実行する。端末装置１の状態は、録画が可能な録画可能状態又は録画が不可な録画不可状態のどちらかをとる。チューナモジュール１２は、アンテナ１１による放送信号の受信レベル（受信電波強度）を検出し、検出した受信レベルを録画処理部３６に送る。録画処理部３６は、受信レベルが所定レベル以上であるとき、端末装置１が録画可能状態にあると判断し、受信レベルが所定レベル未満であるとき、端末装置１が録画不可状態にあると判断する。録画処理は録画可能状態においてのみ実行され、端末装置１が録画不可状態にあるとき録画処理は停止される。
【００３０】
また、ＣＰＵ１７において、録画処理を行うプログラムに加えて、当該プログラムと競合しうる競合プログラムが実行されることがある。競合処理部３７は、競合プログラムの実行を担うブロックである。録画処理部３６及び競合処理部３７を形成するハードウェアは、一部又は全部において共通しうる。競合プログラム（競合処理部３７）は、自身の動作の確保のために、必要に応じて録画処理の停止を求める録画停止要求を発行でき、当該発行の後、任意のタイミングで録画停止要求を取り下げることができる。
【００３１】
録画停止要求が発行されている区間中において、端末装置１は録画不可状態にあり、録画処理部３６は録画処理を停止する。録画処理部３６は、録画処理の実行状態に基づき、欠損区間が存在しているか否か、即ち、対象コンテンツの録画に欠損が存在しているか否かを判定し、欠損判定情報を指定部３５に送出する。指定部３５は欠損判定情報を用いて自動録画コンテンツの選択及び指定を行う。
【００３２】
ユーザは、入力デバイス１４を用いて、自動録画機能の適用チャンネル及び適用時間帯を指定できる。自動録画機能において、端末装置１は、適用チャンネルにて適用時間帯に放送される複数のコンテンツの中から自動録画コンテンツを選択して録画する。ここでは、適用チャンネルにチャンネルＣＨ１〜ＣＨ３が含められ、１０時００分から１５時００分までの時間帯が適用時間帯に設定された場合を考える。図７に、各単位時間帯に欠損区間が発生しなかったときの自動録画コンテンツ３６０を示し、図８に、各単位時間帯に欠損区間が発生した場合における欠損区間後の自動録画コンテンツ３７０を示す。
【００３３】
単位時間帯内の欠損区間の存否に依存して、自動録画コンテンツの選択結果が変化する。指定部３５内の第１選択部４１（図２参照）は、ＥＰＧ情報３４（図６参照）と、録画優先情報３００（図３参照）に基づき、各単位時間帯に欠損区間が存在しない場合における自動録画コンテンツを選択する。
【００３４】
図７において、１０時からの単位時間帯では、ドラマのコンテンツ及び音楽のコンテンツには夫々第１及び第３優先順位が付与される一方で、ニュースのコンテンツには優先順位が付与されないため、自動録画コンテンツとして、チャンネルＣＨ１のドラマのコンテンツが選択部４１により選択される。その他の単位時間帯についても同様に優先順位に基づいて自動録画コンテンツが選択される。
【００３５】
指定部３５内の第２選択部４２（図２参照）は、ＥＰＧ情報３４（図６参照）、録画優先情報３００（図３参照）及び録画是非データ３２０（図４参照）に基づき、各単位時間帯に欠損区間が存在する場合における自動録画コンテンツを選択する。図９のように、第２選択部４２は、録画是非データ３２０に基づき録画是非値“０”が対応付けられたジャンルに対して優先順位が付与されないように、録画優先情報３００による録画優先順位を録画優先情報３００’による録画優先順位に修正し、修正された録画優先順位に基づき自動録画コンテンツを選択する。
【００３６】
図８において、１０時からの単位時間帯では、音楽のコンテンツに対し第３優先順位が付与される一方で、ドラマ及びニュースのコンテンツには優先順位が付与されないため、自動録画コンテンツとして、チャンネルＣＨ２の音楽のコンテンツが選択部４２により選択される。その他の単位時間帯についても同様に修正された優先順位に基づいて自動録画コンテンツが選択される。
【００３７】
或る時間帯において優先順位が付与されたコンテンツが存在しないとき、選択部４２は自動録画コンテンツの選択を行わずに、非録画決定を行う。例えば図８において、１３時からの単位時間帯では、チャンネルＣＨ１〜ＣＨ３のコンテンツに対し何れも優先順位が付与されないので、選択部４２は、それらの単位時間帯における自動録画コンテンツを選択しない（従って、後述の第２候補コンテンツは選択されずに非録画決定が成される）。
【００３８】
選択部４１、４２が選択したコンテンツは、自動録画コンテンツの候補である。故に、選択部４１、４２が選択した図７のコンテンツ３６０、図８のコンテンツ３７０を、夫々、第１、第２候補コンテンツと呼ぶことができる。指定部３５内の切り替え部４３（図２参照）は、欠損判定情報に基づき、第１又は第２候補コンテンツを最終的な自動録画コンテンツとして指定する。
【００３９】
結果、或る対象時間帯に関し、対象時間帯におけるコンテンツの録画に欠損が存在しない場合には、第１候補コンテンツが自動録画コンテンツとして指定及び録画される一方、対象時間帯におけるコンテンツの録画に欠損が存在する場合には、欠損の発生後、録画が可能になった時点から第２候補コンテンツが録画される。但し、対象時間帯において欠損が発生した後、対象時間帯が終了するまで録画可能状態にならなかったならば、当然、対象時間帯における第２候補コンテンツの録画は行われない。図１０に、欠損の有無に依存して自動録画コンテンツが変化する様子を示す。
【００４０】
図１１を参照し、１０時から始まる単位時間帯に注目して第１パターンの欠損（図５（ｂ）参照）が発生した場合の動作を説明する。１０時００分から１０時２０分までの区間３８１において端末装置１は録画可能状態にあったが、１０時２０分から１０時４０分までの区間３８２において端末装置１は録画不可状態となり、その後、１０時４０分から１１時００分までの区間３８３において端末装置１は録画可能状態になったものとする。区間３８２の長さは上記所定時間ｔTH以上である。つまり、区間３８２が欠損区間に相当する。この場合、１０時００分の時点では、第１候補コンテンツであるドラマのコンテンツＣ［１，１０］（図６も参照）が自動録画コンテンツとして指定され、録画処理部３６は、録画を開始して該録画を１０時２０分まで継続する。区間３８２の開始後、上記所定時間ｔTHが経過した時点で、録画処理部３６は欠損が発生したと判定して欠損判定情報を指定部３５に送出する。欠損の発生後は、第２候補コンテンツが自動録画コンテンツに指定される、或いは、第２候補コンテンツが選択されないならば録画の中止が録画処理部３６に要求される。ここでは、第２候補コンテンツとしてのコンテンツＣ［２，１０］が自動録画コンテンツに指定される。故に、１０時４０分において録画可能状態に戻ると、録画されるべきコンテンツが第２候補コンテンツＣ［２，１０］に変更された状態で録画が再開される。
【００４１】
図１２を参照し、１０時から始まる単位時間帯に注目して第２パターンの欠損（図５（ｃ）参照）が発生した場合の動作を説明する。１０時００分から１０時３０分までの区間３８６において端末装置１は録画不可状態にあったが、その後、１０時３０分から１１時００分までの区間３８７において端末装置１は録画可能状態になったものとする。区間３８６の長さは上記所定時間ｔTH以上である。つまり、区間３８６が欠損区間に相当する。この場合、区間３８６の開始後、上記所定時間ｔTHが経過した時点で、録画処理部３６は、欠損が発生したと判定して欠損判定情報を指定部３５に送出する。欠損の発生後は、第２候補コンテンツが自動録画コンテンツに指定される、或いは、第２候補コンテンツが選択されないならば録画の中止が録画処理部３６に要求される。ここでは、第２候補コンテンツとしてのコンテンツＣ［２，１０］が自動録画コンテンツに指定される。１０時３０分において録画可能状態になると、第２候補コンテンツＣ［２，１０］の録画が開始され、その録画は１１時まで継続する。
【００４２】
尚、１０時から始まる単位時間帯内に時間的に分離した複数の欠損区間が発生することもある。１０時から始まる単位時間帯に複数の欠損区間が存在する場合、１つ目の欠損区間が発生した後は、その単位時間帯が終了するまで、第２候補コンテンツＣ［２，１０］が自動録画コンテンツに指定され続ける。
【００４３】
また、図１１及び図１２の例では、第１及び第２候補コンテンツが互いに相違しているが、チャンネルＣＨ１〜ＣＨ３から放送されるコンテンツのジャンル等に依存して、第１及び第２候補コンテンツが同じになることもある。例えば、図７、図８及び図１０に示す如く、１２時から始まる単位時間帯では、第１及び第２候補コンテンツが、共に、チャンネルＣＨ２による音楽のコンテンツとなっている。
【００４４】
また、対象時間帯に欠損区間が存在する場合において、録画優先情報３００’（図９）に基づき優先順位が付与されたコンテンツが１つも存在しないとき、第２候補コンテンツの選択は行われず上記非録画決定が行われるため、当該欠損の発生後、録画可能状態になっても、録画処理部３６は、対象時間帯における録画可否状態に依存することなく対象時間帯における録画を行わない。例えば、図８の１３時からの単位時間帯において、優先順位が付与されたコンテンツが１つも存在しなくなるため録画可能状態になったとしても自動録画を行わない。
【００４５】
上述したように、スマートフォン等の端末装置１では受信レベルが安定せず、コンテンツの録画が途切れ、欠損が生じることも多い。また、端末装置１において、競合プログラムの影響により録画の一時停止が発生することもある。従って、欠損の存否に応じて、より適切なコンテンツを選択録画することが肝要である。本実施形態によれば、欠損の存否に応じて自動録画コンテンツを決定することができるので、ユーザにとって、より有益と考えられる映像を録画することが可能となる。即ち、録画内容の有益性を向上させることが可能となる。
【００４６】
＜第２実施形態＞
本発明の第２実施形態を説明する。第２実施形態並びに後述の第３及び第４実施形態は第１実施形態を基礎とする実施形態であり、第２〜第４実施形態において特に述べない事項に関しては、特に記述無き限り且つ矛盾の無い限り、第１実施形態の記載が第２〜第４実施形態にも適用される。矛盾の無い限り、第１〜第４実施形態の内、任意の複数の実施形態を組み合わせても良い。
【００４７】
第１実施形態では、欠損の発生時に録画を行うべきか否かをジャンルごとに２択で定めているが、これに対する変形例を第２実施形態で説明する。第２実施形態によっても、第１実施形態と同様の効果が得られる。
【００４８】
第２実施形態において、図２のユーザ嗜好ＤＢ３２は、図１３に示すような、ユーザのコンテンツに対する嗜好を反映した録画優先情報４００を格納しており、録画優先情報４００により、自動録画機能にて録画されるべきコンテンツの優先順位が定められる。第１実施形態で述べたように、ユーザ嗜好判定部３１は、嗜好判定用データに基づき所定のアルゴリズムに従って、又は、ユーザ指示に基づき、録画優先情報４００を生成する。録画優先情報４００は、ジャンルごとのユーザ嗜好値を含んでいる。ユーザ嗜好判定部３１は、ユーザが録画及び視聴を望む度合いが高いジャンルに対して、より大きなユーザ嗜好値を設定する。そして、より大きなユーザ嗜好値に対応するジャンルに対して、より高い優先順位が与えられる。録画優先情報４００では、ジャンルがドラマ、アニメ、音楽、バラエティ、映画、スポーツ、ニュースのコンテンツに対し、夫々、１０、８、６、４、０、２、０のユーザ嗜好値が設定されている。故に、録画優先情報４００では、ジャンルがドラマ、アニメ、音楽、バラエティ、スポーツのコンテンツに対し、夫々、第１、第２、第３、第４、第５優先順位が付与され、ジャンルが映画及びニュースのコンテンツに対して優先順位は付与されない。
【００４９】
図２の欠損対応用ＤＢ３３には、図１４に示す重み付けデータ４２０が格納される。重み付けデータ４２０は、対象時間帯における対象コンテンツの録画に欠損が存在するとき、当該対象時間帯において当該対象コンテンツを録画すべき度合いを、重み値として、ジャンルごとに規定している。重み値は０以上１以下の値をとる。重み付けデータ４２０において、ジャンルがドラマ、アニメ、音楽、バラエティ、映画、スポーツ、ニュースのコンテンツに対し、夫々、０．５、０、１、１、０．５、０．５、１の重み値が設定されている。欠損が存在していても比較的有益な情報が得られる（ユーザが楽しめる）ジャンルに対しては比較的大きな重み値を設定しておくと良い。各重み値は、図１４に示すような所定の初期値を有しているが、ＣＰＵ１７はユーザ指示に従って各重み値を任意に修正することができる。
【００５０】
任意の時間帯に欠損区間が発生したとき、ジャンルごとに、ユーザ嗜好値は、録画優先情報４００内のユーザ嗜好値と重み付けデータ４２０内の重み値との積へと修正され、結果、図１５のように録画優先情報４００が録画優先情報４００’へと修正される。例えば、ドラマに関しては、録画優先情報４００内のユーザ嗜好値は１０であり且つ重み値は０．５であるため、録画優先情報４００’におけるドラマのユーザ嗜好値は、１０×０．５＝５、となる。同様に、情報４００’における、他のジャンルのユーザ嗜好値も設定される。故に、録画優先情報４００’では、ジャンルが音楽、ドラマ、バラエティ、スポーツのコンテンツに対し、夫々、第１、第２、第３、第４優先順位が付与され、ジャンルがアニメ、映画及びニュースのコンテンツに対して優先順位は付与されない。
【００５１】
第１実施形態と同様、図６のＥＰＧ情報が得られ、且つ、適用チャンネルにチャンネルＣＨ１〜ＣＨ３が含められ、且つ、１０時００分から１５時００分までの時間帯が適用時間帯に設定された場合を考える。この場合、各単位時間帯に欠損区間が発生しなかったときの自動録画コンテンツ４６０を図１６に示し、各単位時間帯に欠損区間が発生した場合における欠損区間後の自動録画コンテンツ４７０を図１７に示す。
【００５２】
第１選択部４１は、ＥＰＧ情報３４と録画優先情報４００（図１３参照）に基づき、各単位時間帯に欠損区間が存在しない場合における自動録画コンテンツ、即ち第１候補コンテンツを選択する。図１６において、１０時からの単位時間帯では、自動録画コンテンツとして、ユーザ嗜好値が最も大きいチャンネルＣＨ１のドラマのコンテンツが選択部４１により選択される。その他の時間帯においても同様にユーザ嗜好値に基づいて自動録画コンテンツが選択される。
【００５３】
第２選択部４２は、ＥＰＧ情報３４、録画優先情報４００（図１３参照）及び重み付けデータ４２０（図１４参照）に基づき、各単位時間帯における欠損区間が存在する場合における自動録画コンテンツ、即ち第２候補コンテンツを選択する。第２選択部４２は、重み付けデータ４２０に基づき録画優先情報４００にて規定されるユーザ嗜好値（録画優先順位）を修正し、修正されたユーザ嗜好値（録画優先順位）に基づき自動録画コンテンツを選択する。図１７において、１０時からの単位時間帯では、自動録画コンテンツとして、ユーザ嗜好値が最も大きいチャンネルＣＨ２の音楽のコンテンツが選択部４２により選択される。その他の時間帯においても同様に修正されたユーザ嗜好値に基づいて自動録画コンテンツが選択される。
【００５４】
第１実施形態と同様、選択部４１、４２が選択したコンテンツは、夫々、第１、第２候補コンテンツとして機能し、切り替え部４３は、欠損判定情報に基づき、第１又は第２候補コンテンツを最終的な自動録画コンテンツとして指定する。第１及び第２候補コンテンツが選択された後の動作、及び、欠損発生時に非録画決定がなされたときの動作は、第１実施形態で述べたものと同様である。
【００５５】
＜第３実施形態＞
本発明の第３実施形態を説明する。第３実施形態では、端末装置１の自動録画機能における他の動作例を説明する。
【００５６】
第３実施形態では、図１８を参照し、適用チャンネルにチャンネルＣＨ１及びＣＨ２が含められ、１９時００分から２１時３０分までの時間帯が適用時間帯に設定された場合を考える。チャンネルＣＨ１において、１８時００分〜１９時００分、１９時００分〜１９時３０分、１９時３０分〜２０時００分、２０時００分〜２１時００分、２１時００分〜２１時３０分の時間帯に、夫々、コンテンツ５１１、５１２、５１３、５１４、５１５が放送され、且つ、チャンネルＣＨ２において、１８時００分〜２０時００分、２０時００分〜２１時００分、２１時００分〜２１時３０分の時間帯に、夫々、コンテンツ５２１、５２２、５２３が放送されたことを想定する。コンテンツ５１１のジャンルはスポーツであり、コンテンツ５１２〜５１５のジャンルはアニメであり、コンテンツ５２１〜５２３のジャンルは音楽である。また、１８時００分〜１９時１０分及び２０時１５分〜２０時３０分の時間帯だけ受信レベルが所定レベル未満になって端末装置１は録画不可状態となり、それ以外の時間帯では受信レベルが所定レベル以上であって端末装置１は録画可能状態であったとする。また、第１又は第２実施形態と同様、自動録画機能において、図３の録画優先情報３００及び図４の録画是非データ３２０が用いられる、又は、図１３の録画優先情報４００及び図１４の重み付けデータ４２０が用いられるものとする。故に、アニメと音楽との間の競合を考えた場合、欠損が発生していないときにはアニメのコンテンツが優先的に録画されるが、欠損が発生した場合には、録画可能状態への復帰後、音楽のコンテンツが優先的に録画される。
【００５７】
上記の想定の下、時刻が１９時００分に至ったとき、コンテンツ５１２が第１候補コンテンツになるものの録画不可状態であるため、録画は開始されず、時刻が１９時１０分になって録画が可能になる。即ち、コンテンツ５１２に第２パターンの欠損（図１２参照）が発生したことになるため、第１又は第２実施形態で述べた方法に従い、１９時１０分から１９時３０分までの区間では、コンテンツ５１２ではなく音楽のコンテンツ５２１が録画される。
【００５８】
１９時３０分になると、新たなアニメのコンテンツ５１３の放送が開始されるため、コンテンツ５２１の録画を中断し、コンテンツ５１３の録画を開始する。１９時３０分から２０時００分までの区間では、コンテンツ５１３に欠損が発生しておらず、コンテンツ５１３の全体が録画される。
【００５９】
２０時００分になると、新たなアニメのコンテンツ５１４の録画が開始される。２０時００分から２０時１５分までの区間では、コンテンツ５１４が録画されるが、２０時１５分から２０時３０分までの区間で録画不可となるため録画が中止される。２０時３０分で録画可能状態に復帰するが、コンテンツ５１４に第１パターンの欠損（図１１参照）が発生したことになるため、第１又は第２実施形態で述べた方法に従い、２０時３０分から２１時００分までの区間では、コンテンツ５１４ではなく音楽のコンテンツ５２２が録画される。２１時００分から２１時３０分までの区間では、コンテンツ５１５に欠損が発生しておらず、コンテンツ５１５の全体が録画される。
【００６０】
＜第４実施形態＞
本発明の第４実施形態を説明する。第１〜第３実施形態に共通する自動録画機能の動作の流れを説明する。図１９は、その動作の流れを示すフローチャートである。ステップＳ１１〜Ｓ２３の各処理は、図２の録画制御部３０により実行される。
【００６１】
自動録画機能の適用時間帯では、まず、ステップＳ１１において、選択部４１により、ＥＰＧ情報３４とユーザ嗜好ＤＢ３２（録画優先情報３００又は４００）とに基づき、第１候補コンテンツが選択される。続くステップＳ１２において、選択部４２により、ＥＰＧ情報３４とユーザ嗜好ＤＢ３２と欠損対応用ＤＢ３３（録画是非データ３２０又は重み付けデータ４２０）とに基づき、第２候補コンテンツが選択される。更にステップＳ１３において、指定部３５により第１候補コンテンツが自動録画コンテンツに設定された後、ステップＳ１４において自動録画コンテンツの録画が開始される（但し、受信レベル等に依存して録画が開始できないこともある）。
【００６２】
ステップＳ１４の後、ステップＳ１５において現在の受信レベルが確認される。受信レベルが所定レベル未満の場合にはステップＳ１９へ移行するが、そうでない場合にはステップＳ１６へ進む。ステップＳ１６において、競合プログラムによる録画停止要求の発行有無が確認される。録画停止要求が発行されている場合にはステップＳ１９へ移行するが、そうでない場合にはステップＳ１７へ進む。ステップＳ１７において、自動録画コンテンツを放送している番組が終了したか否かが確認される。当該番組が終了した場合にはステップＳ１８にて録画処理を停止するが、終了していない場合にはステップＳ１５に戻る。ステップＳ１８における録画処理の停止後、図１９の動作を終える。但し、図１９の動作の終了時刻がまだ適用時間帯内に属しているならば、ステップＳ１１に戻って図１９の動作を再実行する。
【００６３】
ステップＳ１９では、ステップＳ１４にて開始した自動録画コンテンツの録画を停止し、続くステップＳ２０にて、自動録画コンテンツを第２候補コンテンツに変更する。その後、ステップＳ２１において、自動録画コンテンツを放送している番組が終了したか否かが確認される。当該番組が終了していない場合にはステップＳ２２に進むが、当該番組が終了した場合には図１９の動作を終える。ステップＳ２２において現在の受信レベルが確認される。受信レベルが所定レベル未満の場合にはステップＳ２１へ戻るが、そうでない場合にはステップＳ２３へ進む。ステップＳ２３において、競合プログラムによる録画停止要求の発行有無が確認される。録画停止要求が発行されている場合にはステップＳ２１へ戻るが、そうでない場合にはステップＳ１４へ戻る。従って、ステップＳ１９を経由してステップＳ１４に戻った場合には、第２候補コンテンツが自動録画コンテンツとして録画されることになる。
【００６４】
尚、上述したように、欠損の発生が判定されるときの欠損区間の長さは所定時間ｔTH以上である。故に、ステップＳ１５からステップＳ１９に至った場合、受信レベルが所定レベル未満に維持されている区間の長さを計測し、その長さが所定時間ｔTHに達することなく受信レベルが所定レベル以上になったならば、ステップＳ２０の処理を行うことなくステップＳ１４に戻ると良い。同様に、ステップＳ１６からステップＳ１９に至った場合、録画停止要求の発行が維持されている区間の長さを計測し、その長さが所定時間ｔTHに達することなく録画停止要求が解消されたならば、ステップＳ２０の処理を行うことなくステップＳ１４に戻ると良い。
【００６５】
図１８の動作例における１９時００分から１９時３０分までの区間（第２パターンの欠損が発生する区間）に対し、図１９のフローチャートを当てはめて考える（説明の便宜上、ｔtHはゼロであると仮定する）。図２０も参照する。１９時００分にて図１９の動作が開始されると、ステップＳ１１〜Ｓ１５を経てステップＳ１９への移行が発生し、ステップＳ２０の処理の後、１９時１０分に至るまでステップＳ２１及びＳ２２の処理が繰り返される。１９時１０分に至るとステップＳ２２からステップＳ２３を介してステップＳ１４に戻り、その後、１９時３０分になるまでステップＳ１５〜Ｓ１７の処理が繰り返される。１９時３０分になると、ステップＳ１８の録画停止を経て図１９の動作を終える。
【００６６】
図１８の動作例における１９時３０分から２０時００分までの区間に対し、図１９のフローチャートを当てはめて考える。図２１も参照する。１９時３０分にて図１９の動作が開始されると、ステップＳ１１〜Ｓ１４を経てステップＳ１５へ移行し、以後は、２０時００分になるまでステップＳ１５〜Ｓ１７の処理が繰り返される。２０時００分になるとステップＳ１８の録画停止を経て図１９の動作を終える。
【００６７】
図１８の動作例における２０時００分から２１時００分までの区間（第１パターンの欠損が発生する区間）に対し、図１９のフローチャートを当てはめて考える（説明の便宜上、ｔtHはゼロであると仮定する）。図２２も参照する。２０時００分にて図１９の動作が開始されると、ステップＳ１１〜Ｓ１４を経てステップＳ１５へ移行し、以後は、２０時１５分になるまでステップＳ１５〜Ｓ１７の処理が繰り返される。２０時１５分になるとステップＳ１９への移行が発生し、ステップＳ２０の処理の後、２０時３０分に至るまでステップＳ２１及びＳ２２の処理が繰り返される。２０時３０分になるとステップＳ２３への移行が発生し、ステップＳ１４に戻る。その後は、２１時００分になるまでステップＳ１５〜Ｓ１７の処理が繰り返され、２１時００分になるとステップＳ１８の録画停止を経て図１９の動作を終える。
【００６８】
＜変形等＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。
【００６９】
選択部４１又は４２が第１又は第２候補コンテンツを選択する際、優先順位に差の無い複数のコンテンツが存在する場合もある。このような場合、その複数のコンテンツの内の何れを第１又は第２候補コンテンツにするのかは任意である。複数のチャンネルに対して互いに異なるチャンネル優先順位を設けておいても良い。例えば、チャンネルＣＨ１に対してチャンネルＣＨ２よりも高いチャンネル優先順位を与えておく。この場合において、同一の時間帯にチャンネルＣＨ１にて第１ドラマのコンテンツが放送され且つチャンネルＣＨ２にて第２ドラマのコンテンツが放送されるならば、チャンネル優先順位に基づき、選択部４１又は４２は、チャンネルＣＨ１による第１ドラマのコンテンツを第１又は第２候補コンテンツに選択することができる。
【００７０】
ＥＰＧ情報３４は、インターネット網などのネットワーク網を介して取得されたものであっても良い。
【００７１】
ジャンルはコンテンツの種類を示す。種類によるコンテンツの分類わけは上述したものに限定されず、多様な分類分けが可能である。
例えば、コンテンツのタイトル（コンテンツを放送する番組のタイトル）に所定のキーワードを含むコンテンツと、所定のキーワードを含まないコンテンツとを、種類が互いに異なるコンテンツと捉えても良い。当該キーワードは、ユーザの嗜好に関連するキーワード（例えば“グルメ”又は“健康”）であり、タイトルに当該キーワードが含まれているか否かで、ユーザの視聴希望度合いが異なる。録画制御部３０は、ＥＰＧ情報３４からコンテンツごとに当該キーワードの有無を認識できる。
或いは例えば、コンテンツの出演者名（コンテンツを放送する番組の出演者名）に所定の人名を含むコンテンツと、所定の人名を含まないコンテンツとを、種類が互いに異なるコンテンツと捉えても良い。当該所定の人名は、ユーザの嗜好に関連する人物の名前（例えば、特定の芸能人の名前）であり、出演者名に所定の人名が含まれているか否かで、ユーザの視聴希望度合いが異なる。録画制御部３０は、ＥＰＧ情報３４からコンテンツごとに当該人名の有無を認識できる。人名の代わりにグループ名が用いられても良い。
【００７２】
＜発明内容の考察＞
以下、本発明の内容について考察する。端末装置１は、録画機能を備えているため、録画装置を内包している。
【００７３】
本発明の一側面に係る録画装置は、録画の対象時間帯に放送される複数のコンテンツの何れかを選択して録画する録画装置（１）であって、前記対象時間帯におけるコンテンツの録画に欠損が存在するか否かに応じ、前記対象時間帯において録画するコンテンツを決定する録画制御部（３０）を備えたことを特徴とする。
【００７４】
欠損の存否に応じて録画するコンテンツの決定を行うようにすれば、ユーザにとって、より有益と考えられる映像を録画することが可能となる。即ち、録画内容の有益性を向上させることが可能となる。
【００７５】
具体的には例えば、前記録画制御部（３０）は、前記複数のコンテンツのメタデータ（３４）及び事前に定められた録画優先情報（３００、４００）に基づき、前記複数のコンテンツの中から第１候補コンテンツを選択する第１選択部（４１）と、前記対象時間帯におけるコンテンツの録画に欠損が存在するときの録画是非データ（３２０）又は重み付けデータ（４２０）を、コンテンツの種類ごとに定めた欠損対応用データと、前記メタデータ、前記録画優先情報及び前記欠損対応用データに基づき、前記複数のコンテンツの中から第２候補コンテンツを選択する第２選択部（４２）と、を有し、前記対象時間帯におけるコンテンツの録画に欠損が存在しない場合には、前記第１候補コンテンツを録画する一方、前記対象時間帯におけるコンテンツの録画に欠損が存在する場合には、前記欠損の発生後、録画が可能になった時点から前記第２候補コンテンツを録画すると良い。
【００７６】
録画優先情報は、例えば、ユーザ嗜好を考慮した情報であって良い。この場合例えば、欠損が存在しない場合には、ユーザ嗜好を反映した第１候補コンテンツを録画し、欠損の発生後は、ユーザ嗜好を反映しつつも欠損が存在していても楽しめると考えられる第２候補コンテンツを録画する、といったことが可能となる。
【００７７】
より具体的には例えば、前記録画制御部（３０）は、前記対象時間帯の開始時点において録画可能状態であるとき、前記開始時点から前記第１候補コンテンツの録画を開始し、その後、前記対象時間帯において録画不可状態が所定時間以上継続したとき前記欠損が発生したと判断し、その後、前記対象時間帯において録画可能状態に戻ったとき、録画すべきコンテンツを前記第２候補コンテンツに変更して録画を再開すると良い。
【００７８】
対象時間帯の開始時点において録画可能状態であるとき、ユーザ嗜好に沿った第１候補コンテンツの録画を開始すれば良い。その後、欠損が発生したならば、欠損が存在していても楽しめると考えられる第２候補コンテンツを録画すると良い。これにより、録画内容の有益性を向上させることが可能である。
【００７９】
或いは例えば、前記録画制御部（３０）は、前記対象時間帯の開始時点から録画不可状態が所定時間以上継続しているとき前記欠損が発生したと判断し、その後、前記対象時間帯において録画可能状態になったとき、前記第２候補コンテンツを録画すると良い。
【００８０】
対象時間帯の開始時点から欠損が発生した場合には、録画可能になってから第２候補コンテンツを録画すると良い。これにより、録画内容の有益性を向上させることが可能である。
【００８１】
また例えば、前記第２選択部は、前記メタデータ、前記録画優先情報及び前記欠損対応用データに基づき、前記第２候補コンテンツの選択又は前記第２候補コンテンツを選択せずに非録画決定を行い、前記対象時間帯におけるコンテンツの録画に欠損が存在する場合において前記非録画決定が行われた場合、前記欠損の発生後、録画可能状態になっても、前記録画制御部は、前記対象時間帯における録画を行わないことが好ましい。
【００８２】
これにより例えば、欠損が存在している場合に有益な録画ができないと判断される場合には、録画可能状態になっても録画停止を維持しておくことができ、有益性の低い録画の実行を回避できる。
【符号の説明】
【００８３】
１  端末装置
３０  録画制御部
３１  ユーザ嗜好判定部
３２  ユーザ嗜好ＤＢ
３３  欠損対応用ＤＢ
３４  ＥＰＧ情報
３５  自動録画コンテンツ指定部
３６  録画処理部
４１  第１選択部
４２  第２選択部
４３  切り替え部
【図１】
2015046670.tif 000003
【図２】
2015046670.tif 000004
【図３】
2015046670.tif 000005
【図４】
2015046670.tif 000006
【図５】
2015046670.tif 000007
【図６】
2015046670.tif 000008
【図７】
2015046670.tif 000009
【図８】
2015046670.tif 000010
【図９】
2015046670.tif 000011
【図１０】
2015046670.tif 000012
【図１１】
2015046670.tif 000013
【図１２】
2015046670.tif 000014
【図１３】
2015046670.tif 000015
【図１４】
2015046670.tif 000016
【図１５】
2015046670.tif 000017
【図１６】
2015046670.tif 000018
【図１７】
2015046670.tif 000019
【図１８】
2015046670.tif 000020
【図１９】
2015046670.tif 000021
【図２０】
2015046670.tif 000022
【図２１】
2015046670.tif 000023
【図２２】
2015046670.tif 000024